(57)【特許請求の範囲】
【請求項１】
導体の繊維を絶縁体で覆った構造の導電糸を絶縁糸とともに縦糸および横糸とし、当該横糸と前記縦糸とを互いに織り合わせて織物とした導電性織物であって、
前記縦糸は、縦方向に延びる複数本の導電糸を横方向に並べた導電縦糸域と、縦方向に延びる複数本の絶縁糸を横方向に並べた絶縁縦糸域とが、横方向に交互に並べられて形成され、
前記横糸は、横方向に延びる複数本の導電糸を縦方向に並べた導電横糸域と、横方向に延びる複数本の絶縁糸を縦方向に並べた絶縁横糸域とが、縦方向に交互に並べられて形成され、
導電縦糸域と導電横糸域との交差位置となる複数箇所で、それぞれ縦方向の導電糸と横方向の導電糸とが織り合わされて形成されるセルを、このセルにおける縦方向の導電糸と横方向の導電糸との距離の変化に応じた静電容量の変化特性を利用してタッチの検出を行うタッチセンサとして機能させることができる導電性織物。
【発明の詳細な説明】
【技術分野】
【０００１】
この発明は導電性織物に関する。さらに詳しくは、タッチ位置を正確に検出するために工夫された織り構造を有する導電性織物であり、該導電性織物をタッチセンサに使用することで、該導電性織物の構造に適した信号検出回路を備えたフレキシブルなタッチパネル装置を実現させる導電性織物に関する。
【背景技術】
【０００２】
従来技術であるフレキシブル性のあるタッチパネルは、タッチセンサが、特許文献１に記載のセンサのように樹脂基板上に構成されたものが多く、変化が緩やかな曲面には追随することはできるが、球面や自由曲面に追随することは困難である。
そこで、球面や自由曲面に追随できるタッチパネルとして、布製のタッチセンサを用いたタッチパネルが提案されている。特許文献２及び特許文献３には、導電性繊維を絶縁体で覆った導電糸を縦横に織り込んだ布をタッチセンサとして使用することが報告されている。特許文献２及び特許文献３に記載された導電性繊維を織り込んだ布は、物体が布に接触した時の導電性繊維の間の距離変化による静電容量の変化を検出することにより、タッチセンサとして作動させることができるものである。
【先行技術文献】
【特許文献】
【０００３】
【特許文献１】国際公開番号ＷＯ２００２／０７３１４８号公報
【特許文献２】特開２００６−２３４７１６号公報
【特許文献３】特開２００８−１７０４２５号公報
【発明の概要】
【発明が解決しようとする課題】
【０００４】
しかしながら、上記のタッチセンサの織り構造では、隣り合った導電糸同士の静電容量の結合が無視できず、布全体としてはタッチセンサとして機能するが、タッチした場所を特定できるタッチパネルとして機能させることは難しい。
【０００５】
そこで、本発明が解決しようとする課題は、タッチ位置を正確に検出するために工夫された織り構造を有する導電性織物を提供することである。そして、該導電性織物の構造に適した信号検出回路を備え、該導電性織物をタッチパネルとして用いたフレキシブルなタッチパネル装置を提供することである。
【課題を解決するための手段】
【０００６】
従来の導電性織物では、全ての糸に導電性繊維が入っており、導電糸同士の静電容量の結合が無視できなかった。そこで、本願の発明者は鋭意検討の結果、導電糸同士の静電容量の結合を小さくするために、絶縁性の糸により導電糸同士を分離する、導電糸の間引き織り構造を有する導電性織物を発明した。
そこで、本発明の第１の発明は、導体の繊維を絶縁体で覆った構造の導電糸を絶縁糸とともに縦糸および横糸とし、この横糸と縦糸とを互いに織り合わせて織物とした導電性織物であって、
縦糸は、縦方向に延びる複数本の導電糸を横方向に並べた導電縦糸域と、縦方向に延びる複数本の絶縁糸を横方向に並べた絶縁縦糸域とが、横方向に交互に並べられて形成され、
横糸は、横方向に延びる複数本の導電糸を縦方向に並べた導電横糸域と、横方向に延びる複数本の絶縁糸を縦方向に並べた絶縁横糸域とが、縦方向に交互に並べられて形成され、
導電縦糸域と導電横糸域との交差位置となる複数箇所で、それぞれ縦方向の導電糸と横方向の導電糸とが織り合わされて形成されるセルを、このセルにおける縦方向の導電糸と横方向の導電糸との距離の変化に応じた静電容量の変化特性を利用してタッチの検出を行うタッチセンサとして機能させることができる導電性織物である。
【０００７】
この第１の発明によれば、導電性織物は、縦糸の導電糸についても、横糸の導電糸についても絶縁糸により分離されて、間引き織り構造とされているので、導電糸同士の静電容量の結合を小さくすることができる。そのため、タッチ位置から離れた部分では静電容量の変化が少なくなる。そして、縦糸の導電糸と横糸の導電糸が織り合わされたセルでは２方向の導電糸が近接しているので、セルにタッチした場合は他の部位にタッチした場合に比べて静電容量の変化が大きい。この、導電性織物の間引き織り構造による縦方向の導電糸と横方向の導電糸との距離の変化に応じた静電容量の変化特性を利用することにより、導電性織物のセルをタッチセンサとして機能させることが可能となる。
【０００８】
次に、本願の発明者は、上記の導電性織物をタッチパネルとして機能させるための回路構成について検討した。静電容量の変化を検出する手法としては、例えばＣＲ発振の周波数変化を見る方法があるが、間引き織り構造の場合、隣り合うセル同士が電気的につながっているため混線してしまい正確な測定ができない。そこで、本願の発明者は、鋭意検討の結果、導電性織物の電気的につながった複数のセルの静電容量の変化を得るために、縦糸または横糸のうち一方の導電糸に周期信号を印加し、周期信号を印加しなかった導電糸から得られた信号との信号差を検出する方式を使用する信号検出回路を発明した。
そこで、本発明の第２の発明は、上記第１の発明に係る導電性織物に形成されたセルをタッチセンサとして使用するタッチパネル装置であって、
導電縦糸域または導電横糸域のいずれか一方の導電糸域の導電糸に導電糸域毎に相互に区別が可能な周期信号を印加し、周期信号を印加した導電糸域毎の導電糸との間の静電容量を介して周期信号を印加しなかった導電糸域の導電糸から出力される信号を取出し、
取出した信号と印加信号との信号差を検出することにより、タッチされたセルを検出することのできる信号検出回路を備えた、タッチパネル装置である。
【０００９】
この第２の発明によれば、一方の導電糸域の導電糸に導電糸域毎に相互に区別が可能な周期信号を印加し、周期信号を印加した導電糸域毎の導電糸との間の静電容量を介して周期信号を印加しなかった導電糸域の導電糸から出力される信号を取出す。そして、区別が可能な周期信号毎に、取出した信号と印加信号との信号差を検出する。これにより、回路上の混線なく、各セルにおける正確な静電容量の変化の信号が得られる。よって、導電性織物の各セルについてタッチされたか否かを検出することが可能となり、導電性織物をタッチパネルとして使用するタッチパネル装置を提供することができる。
【００１０】
次に、本発明の第３の発明は、上記第２の発明に係るタッチパネル装置であって、
導電縦糸域または導電横糸域のいずれか一方の導電糸域の導電糸に印加される周期信号は、導電糸域毎に周波数が異なっていることを特徴とする。
この第３の発明によれば、導電糸域の導電糸に印加される周期信号は、導電糸域毎に周波数が異なっている。よって、周期信号を印加しなかった導電糸域の導電糸から出力される信号を取出し、周波数毎に信号差を検出することで、縦横の導電糸域が交差する各セルにおける正確な静電容量の変化の信号を得ることができ、各セルへのタッチの有無を検出することができる。
【００１１】
次に、本発明の第４の発明は、上記第２の発明に係るタッチパネル装置であって、
導電縦糸域または導電横糸域のいずれか一方の導電糸域の導電糸に印加される周期信号は、各導電糸域に対して時分割で印加されることを特徴とする。
この第４の発明によれば、導電糸域の導電糸に印加される周期信号は、各導電糸域に対して時分割で印加される。よって、周期信号を印加しなかった導電糸域の導電糸から出力される信号を取出し、時分割で信号差を検出することで、縦横の導電糸域が交差する各セルにおける正確な静電容量の変化の信号を得ることができ、各セルへのタッチの有無を検出することができる。
【発明の効果】
【００１２】
上述の本発明の各発明によれば、次の効果が得られる。
まず、上述の第１の発明によれば、導電性織物は、導電糸について間引き織り構造とされているので、導電糸同士の静電容量の結合を小さくすることができる。そして、縦糸の導電糸と横糸の導電糸が織り合わされたセルでは２方向の導電糸が近接しているので、セルにタッチした場合は他の部位にタッチした場合に比べて静電容量の変化が大きい。この、導電性織物の間引き織り構造による縦方向の導電糸と横方向の導電糸との距離の変化に応じた静電容量の変化特性を利用することにより、導電性織物のセルをタッチセンサとして機能させることが可能となる。
次に、上述の第２の発明によれば、縦糸または横糸のいずれか一方の導電糸に相互に区別が可能な周期信号を印加し、周期信号を印加しなかった導電糸から出力される信号を取出す。そして、区別が可能な周期信号毎に、取出した信号と印加信号との信号差を検出することで、回路上の混線なく各セルにおける正確な静電容量の変化の信号が得られる。よって、導電性織物の各セルについてタッチされたか否かを検出することが可能であり、導電性織物をタッチパネルとして使用するタッチパネル装置を提供することができる。
次に、上述の第３の発明によれば、縦糸または横糸のいずれか一方の導電糸に印加される周期信号は、導電糸域毎に周波数が異なっている。よって、周期信号を印加しなかった導電糸から出力される信号を取出し、周波数毎に信号差を検出することで、各セルにおける正確な静電容量の変化の信号が得ることができ、各セルへのタッチの有無を検出することができる。
次に、上述の第４の発明によれば、縦糸または横糸のいずれか一方の導電糸に印加される周期信号は、各導電糸域に対して時分割で印加される。よって、周期信号を印加しなかった導電糸から出力される信号を取出し、時分割で信号差を検出することで、各セルにおける正確な静電容量の変化の信号が得ることができ、各セルへのタッチの有無を検出することができる。
【図面の簡単な説明】
【００１３】
【図１】実施例１における導電性織物を写真で示す図である。
【図２】実施例１において、導電糸域の間隔と混線率の関係について計測した結果を示す図である。
【図３】混線率について説明する図である。
【図４】実施例１におけるタッチパネル装置の構成を示す図である。
【図５】実施例１のタッチパネル装置を用いて導電性織物のセル位置に対応したＬＥＤがタッチ信号により消灯するタッチパネルを実現した図である。
【図６】実施例２におけるタッチパネル装置の構成を示す図である。
【発明を実施するための形態】
【００１４】
以下、本発明を実施するための形態について実施例にしたがって説明する。
【実施例１】
【００１５】
［導電性織物の構成］
図１に実施例１におけるタッチパネル装置３０（図４参照）で使用する導電性織物１０の写真を示す。
始めに、導電性織物１０の構成について説明する。導電性織物１０の縦糸は、縦方向に延びる複数本の導電糸１２を横方向に並べた導電縦糸域１６と、縦方向に延びる複数本の絶縁糸１４を横方向に並べた絶縁縦糸域１８とが、横方向に交互に並べられた構成とされている。そして、導電性織物１０の横糸は、横方向に延びる複数本の導電糸１２を縦方向に並べた導電横糸域２０と、横方向に延びる複数本の絶縁糸１４を縦方向に並べた絶縁横糸域２２とが、縦方向に交互に並べられた構成とされている。
そして、導電糸１２が絶縁糸１４により分離された縦糸と、導電糸１２が絶縁糸１４により分離された横糸とが織り合わされて織物に形成されており、導電性織物１０は、導電糸１２同士が絶縁糸１４により分離された間引き織り構造を有している。そして、導電縦糸域１６と導電横糸域２０の交差位置で、縦糸の導電糸１２と横糸の導電糸１２が織り合わされたセル２４が形成されている。
なお、実施例１では、図１に白色で表された縦横双方の導電糸１２、１２には、芯糸にポリエステル銀めっき糸１５０Ｄ、鞘糸にポリエステル糸１５０Ｄ及びポリエステル糸２０／１を使用したダブルカバリング糸を使用している。そして、図１に黒色で表された絶縁糸１４には、綿糸２０／２を使用している。
【００１６】
［間引き織り構造の特性］
導電性織物１０は、図１に示すように、導電糸１２が絶縁糸１４により分離された間引き織り構造とされているので、導電線同士の静電容量の結合が小さく、タッチ位置から離れた部分では静電容量の変化が少ない。そして、縦糸の導電糸１２と横糸の導電糸１２が織り合わされたセル２４では２方向の導電糸１２が近接しているので、セル２４にタッチした場合は他の部位にタッチした場合に比べて静電容量の変化が大きい。
【００１７】
そこで、間引き織り構造の特性を確認するため、縦横の両方向について、導電糸１２の本数を４本、導電糸域の幅を３．５ｍｍに固定し、導電糸域を縦横それぞれ３箇所として、導電糸域を隔てる絶縁糸域の幅を２０ｍｍから６５ｍｍまで変化させた間引き織り構造の導電性織物を作製した。そして、比較用に、全て導電糸１２で作製した導電性織物を作製した。図１に示した導電性織物１０は、縦横の絶縁糸域の幅を２０ｍｍとした時のものである。
【００１８】
そして、混線の影響を調べるために、これらの導電性織物に形成される９個のセル２４のうち、中央のセル２４の静電容量を検出するようにＬＣＲメータを接続し、各セル２４にタッチ信号を与えた時の中央のセル２４の静電容量の変化の計測を行った。なお、タッチ信号は指先でセル２４に触れることにより与えている。
この計測を導電糸域の間隔（絶縁糸域の幅）が異なる導電性織物で行い、解析した結果を図２に示す。図中、横軸は導電糸域の間隔、縦軸は混線率を表す。
ここで、混線率は、他のセルにタッチ信号を与えた時の中央のセルの静電容量の変化の平均値を中央のセルにタッチ信号を与えた時の静電容量の変化で割ったものとして定義しており、混線率が１００％に近づくほど、セル間の混線が多いことを示している。
混線率は、図３に示すようにセルの番号を定めると、図３に示した混線率の式で表現することができる。
【００１９】
そして、図２に示すとおり、導電糸域の間隔が大きくなるにつれて、混線率が大幅に減少することがわかる。導電糸域の間隔がゼロの時は混線率が９０％程度となるため、タッチしたセルの検出が困難である。これは、従来技術による織物の全体が導電糸で構成されている導電性織物に相当する。これに対して、図１で示した導電糸域の間隔が縦横それぞれ２０ｍｍの導電性織物１０では、混線率は６０％程度に減少するので、タッチされたセルの検出が容易になる。
よって、実施例１の導電性織物１０では、間引き織り構造による静電容量の変化特性を利用することにより、セル２４をタッチセンサとして機能させることが可能となる。
なお、セル２４を押す強さに応じて導電糸の距離が変化し、セル２４の静電容量が変化するので、導電性織物１０のセル２４を圧力検知センサとして機能させることもできる。
【００２０】
［タッチパネル装置の構成］
次に、実施例１におけるタッチパネル装置について説明する。図４に、実施例１における導電性織物１０を使用したタッチパネル装置３０の構成を示す。
図４に示すように、タッチパネル装置３０を構成する導電性織物１０の３箇所の導電縦糸域１６ａ、導電縦糸域１６ｂ、導電縦糸域１６ｃには、それぞれ、各導電縦糸域の導電糸１２に周期信号を印加する第１発振器４０、第２発振器４２、第３発振器４４が接続されている。そして、導電性織物１０の３箇所の導電横糸域２０ａ、導電横糸域２０ｂ、導電横糸域２０ｃには、各導電横糸域の導電糸１２から出力される信号を取出すマルチプレクサ３２が接続されている。
そして、マルチプレクサ３２には、導電糸１２から取出した信号と印加した周期信号の信号差を検出する信号差検出回路３４が接続されている。そして信号差検出回路３４は、周期信号を基準信号として取り込むために、第１発振器４０、第２発振器４２および第３発振器４４に接続されるとともに、タッチパネル装置３０の動作を制御する動作処理回路３６に接続されている。
【００２１】
［タッチされたセルの検出方法］
次に、タッチされたセルの検出方法を説明する。第１発振器４０からは、図４にｆ１で示した１メガヘルツのサイン波が導電縦糸域１６ａの導電糸１２に対して印加されると共に、信号差検出回路３４に１メガヘルツのサイン波が基準信号として送られる。第２発振器４２からは、図４にｆ２で示した１．５メガヘルツのサイン波が導電縦糸域１６ｂの導電糸１２に対して印加されると共に、信号差検出回路３４に１．５メガヘルツのサイン波が基準信号として送られる。そして、第３発振器４４からは、図４にｆ３で示した３．９メガヘルツのサイン波が導電縦糸域１６ｃの導電糸１２に対して印加されると共に、信号差検出回路３４に３．９メガヘルツのサイン波が基準信号として送られる。なお、各導電縦糸域の導電糸１２に印加される周波数ｆ１、ｆ２、ｆ３は、互いに干渉しない周波数が選択されている。
そして、マルチプレクサ３２は、導電横糸域２０ａ、導電横糸域２０ｂ及び導電横糸域２０ｃから取出した信号を、導電横糸域毎に３系列に分離した状態で、信号差検出回路３４に送り出す。
セル２４にタッチして、セル２４の静電容量が変化すると、セル２４に印加されている周期信号の位相及び振幅が変化する。そこで、セル２４から取出した周期信号の位相あるいは振幅の、印加信号との差を調べることで静電容量の変化を生じたセルを知ることができる。
実施例１では、信号差検出回路３４は、導電横糸域から取込んだ３系列の信号について、サイン波の周波数毎に各発振器から取込んだ基準信号との信号差から、位相差の検出を行う。そして、検出した位相差から、回路上の混線なく、各セル２４毎の正確な静電容量の変化を検出し、タッチされたセル２４を特定する。
【００２２】
例えば、導電横糸域から取込んだ３系列の信号について、サイン波の周波数毎に基準信号との位相差の検出を行った結果、導電横糸域２０ｂから取得した１．５メガヘルツのサイン波での位相差の変化に対応する静電容量の変化が最大であれば、タッチ信号が与えられたセル２４は、導電横糸域２０ｂ上のセル２４であり、かつ、１．５メガヘルツのサイン波が印加された導電縦糸域１６ｂ上のセルであることがわかるので、タッチ信号が与えられたセル２４は、図４の中央のセル２４であることが特定できる。
図５は、タッチパネル装置３０を用いて導電性織物１０のセル２４の位置に対応したＬＥＤがタッチ信号により消灯するタッチ位置表示器４８を実現した例である。図５（ａ）は、導電性織物１０にタッチしておらず、９個のセル２４に対応するＬＥＤが全て点灯した状態を示す。図５（ｂ）は、中央のセル２４に触れたために、中央のＬＥＤが消灯した状態を示す。
【００２３】
［変形例］
実施例１では、信号差検出回路３４により、導電糸域から取込んだ信号と基準信号の信号差のうち、位相差を検出することで各セル２４の静電容量の変化を検出したが、信号差検出回路３４により、信号差のうちの振幅差を検出して、各セル２４の静電容量の変化を検出しても良い。また、信号差検出回路３４により、位相差と振幅差の双方を検出することで各セル２４の静電容量の変化を検出しても良い。
また、実施例１では、周期信号としてサイン波を使用しているが、周期信号として矩形波を使用しても良い。
【００２４】
［効果］
実施例１で用いた導電性織物１０によれば、導電糸の間引き織り構造により混線が減少して、高精度なタッチ位置検知が可能であるため、タッチパネルとしての使用が可能である。また、導電性繊維の使用量が減らせるため、コスト低減にもつながる。
そして、実施例１のタッチパネル装置３０によれば、各導電縦糸域の導電糸１２に周波数が異なり互いに干渉しない周期信号を印加し、導電縦糸域毎の導電糸１２との間の静電容量を介して導電横糸域の導電糸１２から出力される信号を取出す。そして、周波数毎に、取出した信号と印加信号との信号差のうち位相差または振幅差、あるいは位相差と振幅差の双方を検出する。これにより、回路上の混線なく、各セル２４における正確な静電容量の変化の信号が得られる。
よって、導電性織物１０の各セル２４についてタッチされたか否かを検出することが可能となり、導電性織物１０をタッチパネルとして使用するフレキシブルなタッチパネル装置を提供することができる。
【実施例２】
【００２５】
次に実施例２について説明する。図６に、実施例２におけるタッチパネル装置３０Ａの構成を示す。実施例２の実施例１との違いは、周期信号として、発振器５８が発生する単一の周波数の信号を、分配マルチプレクサ５６により、時分割して、導電縦糸域１６ａ、導電縦糸域１６ｂ、導電縦糸域１６ｃに印加している点である。
そして、マルチプレクサ５０は、導電横糸域２０ａ、導電横糸域２０ｂ及び導電横糸域２０ｃから取出した信号を、導電横糸域毎に３系列に分離した状態で、信号差検出回路５２に送り出す。そして、信号差検出回路５２では、導電横糸域毎に取込んだ信号について、時分割された時間帯毎に発振器５８から取込んだ基準信号との信号差から、位相差の検出を行い、回路上の混線なく、各セル２４毎の正確な静電容量の変化を検出し、タッチされたセル２４を特定する。
なお、信号差検出回路５２に接続された動作処理回路５４は、実施例１と同様に、タッチパネル装置３０Ａの動作を制御する。
なお、信号差から振幅差を検出しても良い点、周期信号が矩形波でも良い点は実施例１と同様である。
【００２６】
実施例２によれば、実施例１と同様に、導電性織物１０を用いたフレキシブルなタッチパネル装置を提供することができる。また、発振器を１台で済ますことができるため、タッチパネル装置のコストを低減することができる。
【００２７】
上記の各実施例では、絶縁糸に綿を用いたが、絶縁糸については、ポリエステル、ナイロン、レーヨン、ポリビニルアルコール、ポリアクリロニトリル、ポリプロピレン、ポリエチレン、ポリウレタン等の合成繊維を用いても良く、天然繊維のウールを用いても良い。
そして、導電糸については、銅、アルミ、鉄、ステンレス、ニクロム、金、銀、チタンニッケル合金等の金属繊維、ＰＡＮ系、ピッチ系の炭素繊維を用いても良い。また、導電糸として、絶縁糸に使用するポリエステル、ナイロン、レーヨン等の樹脂に導電成分としてカーボン、グラファイト、カーボナノチューブ等を混練後に紡糸した糸を用いることもできる。また、導電糸として、絶縁糸の表面に導電成分として銅、アルミ、銀、金等を金属メッキ手法により被覆した糸を用いることもできる。そして、導電糸として、導電糸に絶縁糸を撚糸した構造の導電糸や導電糸に絶縁性の樹脂をコーティングした構造の導電糸を用いることもできる。特に樹脂をコーティングした構造のものは、耐湿性・耐水性を向上することができるため、センサ性能の安定性向上や誤作動を防ぐことができる。
【００２８】
上記の各実施例では、導電縦糸域の導電糸に周期信号を印加し、導電横糸域の導電糸から出力される信号を取出す構成としたが、導電横糸域の導電糸に周期信号を印加し、導電縦糸域から出力される信号を取出す構成としても良い。
そして、上記の各実施例では、導電性織物は、導電縦糸域が３箇所、導電横糸域が３箇所の構成としているが、導電縦糸域及び導電横糸域の数はこれに限定されない。また、上記の各実施例では、導電性織物１０は縦横の双方について導電糸が間引かれた間引き織り構造としているが、センサが一列に並んだタッチパネルとして機能させるのであれば、縦糸と横糸のうち一方のみを導電糸の間引き構成とし、他方は全て導電糸で構成しても良い。
その他、本発明に係る導電性織物及び導電性織物を使用したタッチパネル装置は、その発明の思想の範囲で、各種の形態で実施できるものである。
【符号の説明】
【００２９】
１０   導電性織物
１２   導電糸
１４   絶縁糸
１６、１６ａ、１６ｂ、１６ｃ       導電縦糸域
１８   絶縁縦糸域
２０、２０ａ、２０ｂ、２０ｃ       導電横糸域
２２   絶縁横糸域
２４   セル
３０、３０Ａ  タッチパネル装置
３２   マルチプレクサ
３４   信号差検出回路
３６   動作処理回路
４０   第１発振器
４２   第２発振器
４４   第３発振器
４８   タッチ位置表示器
５０   マルチプレクサ
５２   信号差検出回路
５４   動作処理回路
５６   分配マルチプレクサ
５８   発振器
【図２】
0005493070.tif 000002
【図３】
0005493070.tif 000003
【図４】
0005493070.tif 000004
【図５】
0005493070.tif 000005
【図６】
0005493070.tif 000006
【図１】
0005493070.tif 000007